(57)【要約】【課題】消しゴムを用いての筆記した文字・線等の消去は、外径が細いと剛性が不足するので消去時に破断しやすく使用に適さないことや、先端部がすぐに丸くなり文字・線等の細かい箇所を消去することが困難となる。【解決手段】少なくとも２種類以上の層を形成した積層構造からなる棒状の消しゴムであり、径方向においての内側の層１２は外側の層１１より剛性が高いことを特徴とする消しゴム１である。特に外径を細くする必要がある複式筆記具への搭載に最適である。【選択図】          図１
2011173339.tif 000002
【特許請求の範囲】
【請求項１】
鉛筆、ボールペン等で筆記した描線を消去する消しゴムにおいて、少なくとも２種類以上の積層構造からなる棒状の消しゴム。
【請求項２】
径方向において内側の層が外側の層より、剛性が高いことを特徴とする請求項１記載の消しゴム。
【請求項３】
押し出し成形により形成される請求項２記載の消しゴム。
【請求項４】
二色成形で成形し、外側の層に切断用の凹突部を形成した請求項２記載の消しゴム。
【請求項５】
請求項１乃至４の何れか１項記載の消しゴムを取り付けた複式筆記具。
【発明の詳細な説明】
【技術分野】
【０００１】
本発明は、多層構造の棒状の消しゴムに関する。
【背景技術】
【０００２】
従来、複式筆記具においてシャープ芯で筆記した描線を消去するための消しゴムを繰出す際、筆記具の後端ではなく容易に選択できる筆記具が開示されている（特許文献１）。しかし、特許文献１の消しゴムでは、使用につれて先端部の角部が失われ丸くなることで微細な消去が困難であること、また細い形状にする場合、剛性が足りず消去時に消しゴムが破断し、十分な消去性を得ることができないことが挙げられる。そこで上記課題を解決するため特許文献２以下の技術が開示されている。
【先行技術文献】
【特許文献】
【０００３】
【特許文献１】実開平５−１２１８６
【特許文献２】実用登録３１１２１５８
【特許文献３】特開２００４−３４６２４
【特許文献４】特開平１−１７４１９６
【発明の概要】
【発明が解決しようとする課題】
【０００４】
しかし特許文献２の発明は、使用者が任意で先端部を切断することができ角部を形成することが可能であるが、切断する専用具（ナイフ）が必要である。
特許文献３の発明は、角部が複数あり任意で角部を選択することができるが、小型化が困難である。
特許文献４の発明は、消去時において２つの面を同時に接触させないと纏まり性に優れた効果を発揮できず、使用方法に制限がある。
以上のことから、複式筆記具に使用者が満足する消しゴムを提供することが困難である。
【課題を解決するための手段】
【０００５】
そこで、本願発明者は鋭意開発の結果、以下の発明を実現するに至った。
第１の発明は、鉛筆、ボールペン等で筆記した描線を消去する消しゴムにおいて、少なくとも２種類以上の積層構造からなる棒状の消しゴムである。
第２の発明は、第１の発明に径方向で内側の層が外側の層より、剛性が高いことを特徴とする消しゴムである。尚、剛性が高いとは一般的に曲げやねじりの力に対して、寸法変化の小さいこと、紙面との摩擦に対し削れにくいことをいう。
第３の発明は、第２の発明に押し出し成形により形成される消しゴムである。
第４の発明は、第２の発明に二色成形で成形し、切断用の凹突部を形成した消しゴムである。
第５の発明は、第１から第４の発明の消しゴムを取り付けられた複式筆記具である。
【発明の効果】
【０００６】
本発明の消しゴムは、従来の消しゴムと比較して十分強度があり、特に複式筆記具での消しゴムとして使用した際、不必要な動作で折れにくい。
消しゴムを自由に折ることができ、常に新しい角部を任意で形成することができる。
また驚くべきことに、消しゴムは軟質であるため小さい径での成形は非常に困難であったが、本発明は内径側の層に剛性があることで非常に成形が容易であった。
【図面の簡単な説明】
【０００７】
【図１】本発明における消しゴムの第１の形態の全体図である。
【図２】本発明における消しゴムの第２の形態の断面図である。
【図３】本発明における消しゴムの第３の形態の断面図である。
【図４】本発明における消しゴムを繰出し機構に取り付けた全体図である。
【図５】本発明における繰出し機構に取り付けた消しゴムを取り付ける複式筆記具の全体図である。
【発明を実施するための形態】
【０００８】
以下、図面を参照しながら説明する。
図１は、本発明における第１の形態の消しゴムの全体図であり、図１（Ａ）は斜視図、図１（Ｂ）は軸方向の断面図である。
第１の形態の消しゴムは径方向に対し、外側である外側の層１１と外側の層１１の径方向に対して内側である内側の層１２の二層の積層構造からなり、前記積層構造は略軸方向に対し平行に形成されている棒状の消しゴムである。
なお棒状とは、円柱、角柱、楕円等の断面を有する細長状の物体を示す。
棒状の外径形状は、円形、角形、星型等特に径方向の断面に対し、積層構造であれば問題無いが、消しゴムを押し出しホルダー等の筒体から繰り出す際は、摩擦抵抗の少ない楕円形状が好ましい。
外側の層１１は、主にスチレン系エラストマーやポリ塩化ビニールのゴム素材で形成され、鉛筆、シャープペンシル、ボールペンで筆記した文字や描線を消去する層である。
内側の層１２は、外側の層１１より、剛性を高く形成する。例えば環状ポリオレフィン等により形成されことで使用時のおける曲げ応力や剪断応力に対し高い抵抗力を有するので、意図しない破断や折れ曲がりにも耐えうることが出来る。また複式筆記具に搭載する際には、外径を市販の消しゴムより細く、例えばφ３ｍｍ以下に形成する必要があるため、従来の消しゴムのみの構成より、搭載に適している。
第１の形態の消しゴムの成形は、押し出し成形で形成することで軸方向の積層の厚みにバラツキを少なくすることができる。
また、外側の層１１をショア硬度Ａ５５度以上にして消去時に削れにくい配合として、内側の層１２を任意の樹脂材料とすれば、例えばロイコ染料を用いたインクで筆記した描線を摩擦熱で消去する消去具をしても用いることができる。
【０００９】
図２は、本発明における第２の形態の消しゴムの軸方向の断面図である。第１の実施形態に外側の層１１のさらに径方向の内側に凹突部１３を形成した。消去動作によって消しゴムの角部１５が磨耗して丸くなったり、外側の層１１の表面が汚れて消去の対象面である紙面等を綺麗に消去できない場合は、消しゴム１を強く折り曲げる動作によって凹突部１３に応力が集中するので消しゴム１の一部分を破断することができる。破断した面は、新たな外側の層１１の表面と角部１５が形成されることにより、角部１５による細かい箇所の消去や紙面等を汚さずに消去することができる。消しゴムの成形は、外側の層１１と内側の層１２を別々に成形して組み立てても良いが、外側の層１１と内側の層１２との密着性の保持と加工容易性の点から２色成形が望ましい。
【００１０】
図３は、本発明における第３の形態の消しゴムの断面図である。第１の実施形態の内側の層１２より径方向の内側、つまり中心部に芯部１４が形成されている。芯部１４は中空状又は軟質な材料を用い、外側の層１１、内側の層１２とは異なる材質でもよい。
【００１１】
図４は、本発明における消しゴム１を専用の消しゴム繰り出しユニット２に取り付けた全体図であり、図４（Ａ）は正面図、図４（Ｂ）は図４（Ａ）の断面図である。なお、本明細書における先端とは、筆記具の軸筒の両端のうち、筆記用紙等の消去対象に接する側の端部をいい、これとは反対側の端部を後端という。
【００１２】
消しゴム繰り出しユニット２は、繰り出し機構３と押し出し棒４からなる。繰り出し機構３は消しゴム１を収納し、繰り出し棒４を先端側に押し出す機構となっている。消しゴム１は繰り出し機構２の先端側の内部に形成されている収納部３７に収納されており、消しゴム１の後端は押し出し棒４の先端と当接している。繰り出し棒４が先端側に前進する動作に伴い、消しゴム１が前進する機構となっている。
【００１３】
ここで消しゴム繰り出しユニット２の説明をする。
この消しゴム繰り出しユニット２には、筒状に形成されて内部に押し出し棒４を収納可能とされたケース筒３８と、ケース筒３８の先端側に接続されている繰り出し機構３とが設けられている。
繰り出し機構３は、押し出し棒４の把持を行うチャック３１が設けられ、このチャック３１で押し出し棒４を先端へ繰り出すチャック部３Ａと、チャック部３Ａのチャック３１を内部に収納している口金部３Ｂと、チャック部３Ａを後端へ向かって常に付勢しているコイルバネ３Ｃとを備えたものとなっている。
チャック部３Ａは、複数に分割された頭部３１Ａが形成されている前述のチャック３１と、筒状に形成されて、その内部にチャック３１の頭部３１Ａが挿入されると当該頭部３１Ａを締め付ける締め具３２と、チャック３１との接続を行うために、口金部３Ｂの内部にまで延びる接続部３３Ａが形成された筒状の中継筒３３とを備えたものである。
【００１４】
このうち、チャック３１は、その先端から後端までの全体を貫通する貫通路を備えた略筒状の部品であり、その貫通路に押し出し棒４を挿通させるようになっている。
このようなチャック３１には、前述した頭部３１Ａと、この頭部３１Ａよりも細く形成された首部３１Ｂとが一体に形成されている。
頭部３１Ａは、複数の分割された部分が径方向に移動して、その内部の貫通路の内径が拡縮可能に形成されたものであり、締め具３２に締め付けられて内径が縮むことで、押し出し棒４を把持するようになっている。
一方、中継筒３３の接続部３３Ａは、中継筒３３の他の部分である本体部３３Ｂよりも細い部位であり、内部に、首部３１Ｂが圧入され、これにより、チャック部３Ａが中継筒３３に接続されている。
【００１５】
口金部３Ｂは、先端側に配置された口金３４と、後端側に配置された口金受筒３５とを連結したものであり、これらの内部にチャック３１の頭部３１Ａを収納するチャック室が形成されたものとなっている。
口金３４は、その先端に押し出し棒４を突出させる先端口が形成されているとともに、先端口の近傍に合成ゴム製の保持チャック３６が収納されている。また、口金３４の内側面には、先端側が縮径された段付部が形成されている。
口金受筒３５は、内部にチャック３１の首部３１Ｂを挿通させる筒状の部品である。この口金受筒３５の内側面には、後端側が縮径された段付部が形成されている。
【００１６】
そして、口金部３Ｂの口金受筒３５及び中継筒３３の本体部３３Ｂの間に、コイルバネ３Ｃが介装され、このようなコイルバネ３Ｃによって、口金部３Ｂに対して、中継筒３３、ひいては、チャック３１が後端側へ付勢されている。
この際、消しゴム繰り出しユニット２の後端に後端から先端方向への力（以下、ノック操作力と称する）が加わると、コイルバネ３Ｃの弾性力に抗して、締め具３２に締め付けられたチャック３１は、先端側へ移動するようになっている。
そして、チャック３１の先端が口金３４の内側面に形成された段付部の位置まで到達すると、締め具３２は、口金３４の段付部に係止され、当該段付部で停止するようになっている。
【００１７】
一方、チャック３１及びこのチャック３１に把持された押し出し棒４は、段付部よりもさらに先端側へ移動するようになっている。これにより、消しゴム繰り出しユニット２は、押し出し棒４が口金３４の先端口から繰り出されるようになっている。そして、チャック３１及び押し出し棒４がノック動作のストロークの終端近傍まで移動すると、チャック３１は、把持していた押し出し棒４を開放するようになっている。
また、ノック操作力が解除されると、コイルバネ３Ｃの弾性力でチャック３１は、後端側へ移動、換言すると、元の位置まで復帰するようになっている。
【００１８】
ここで、押し出し棒４は、チャック３１の把持が解除されて、チャック３１から開放されているとともに、口金３４の合成ゴム製の保持チャック３６に保持されているので、チャック３１が後端側へ移動しても、チャック３１とともに後端側へ移動することはなく、ノック操作で繰り出された位置に留まるようになっている。
そして、チャック３１の後端が口金受筒３５の内側面に形成された段付部の位置まで戻ってくると、締め具３２は、口金受筒３５の段付部に係止され、当該段付部で停止するようになっている。
一方、チャック３１は、口金受筒３５の段付部に係止された締め具３２よりも僅かに後端側へ移動するので、これにより、締め具３２よって強く締め付けられ、押し出し棒４を再度把持し、後端側へ移動しないように固定するようになっている。
【００１９】
ここにおいて、繰り出し機構３は、ケース筒３８の先端側に接続されるとともに、ノック操作力を受ける毎に、内部に装填された押し出し棒４を先端側へほぼ所定寸法だけ繰り出すものとなっている。
このような繰り出し機構３により、消しゴム繰り出しユニット２は、ノック操作力を受ける毎に、繰り出し機構３の内部に装填された押し出し棒４を先端側へほぼ所定寸法だけ繰り出し、ノック操作力が解除されると、先端口から突出した押し出し棒４を固定する。
【００２０】
口金３４の外周面に圧入されている収納部３７は、内面に軸方向に延伸した複数本のリブ状の突起を形成し、そのリブと消しゴム１が当接するように設けられている。複数本のリブ状の突起と消しゴム１が略線接触にすることにより、内面と消しゴム１の外側の層１１とが食い付かないで繰り出すことが出来る。なおリブの本数は、３〜８本が望ましい。
【００２１】
繰り出し棒４は、材料はポリプロピレン等の成形樹脂、形状は円柱状が望ましいが、繰り出し機構３によって消しゴム１を押し出し可能であれば材料、形状は特に限定しない。
【００２２】
図５は、図４の消しゴム繰り出しユニット２を取付可能な他の筆記体も含め複数のユニットを取付可能な複式筆記具軸５である。図５（Ａ）は正面図、図５（Ｂ）は図５（Ａ）の断面図である。消しゴム繰り出しユニット２との接続は、ケース筒３８の内周部を移動操作部５１の凸部５１Ａに挿入することで接続が可能である。
【００２３】
ここで複式筆記具軸５について説明する。
軸筒５は、図５に示すように、図５中左方に配置されるとともに、先細りとなった先軸部５Ａと、図５中右方に配置される後軸部５Ｂとを分離可能に連結したものである。
すなわち、先軸部５Ａは、図５（Ｂ）に示すように、その後軸部５Ｂ側に配置された端部近傍の外周面に雄ネジ部５Ｃが形成されたものとなっている。
一方、後軸部５Ｂは、その先軸部５Ａ側に配置された端部近傍の内周面に、先軸部５Ａ側の雄ネジ部５Ｃと螺合する雌ネジ部５Ｄが形成されたものとなっている。
これにより、先軸部５Ａ及び後軸部５Ｂは、雄ネジ部５Ｃと雌ネジ部５Ｄとの螺合により相互に連結されるとともに、これら雄ネジ部５Ｃ及び雌ネジ部５Ｄの螺合を解除することで、分離が可能となっている。
【００２４】
ここで、先軸部５Ａの先端部分には、筆記体の先端を突出させるための先端口５Ｅが設けられている。
一方、後軸部５Ｂの後端近傍には、軸筒５の軸方向に沿って細長く開口しているとともに、当該後軸部５Ｂの後端近傍の側面に周方向に沿って並べられた複数の窓部５Ｆが設けられている。
これらの窓部５Ｆの各々には、当該窓部５Ｆの全長よりも一回り長い棒状に形成された移動操作部５１がそれぞれ嵌め込まれている。
そして、後軸部５Ｂの内部には、移動操作部５１を移動可能に支持するとともに、当該移動操作部５１を後軸部５Ｂの長手方向に沿って摺動可能に案内する複数のガイドレール部５２Ａを備えたガイド部材５２が設けられている。
【００２５】
このガイド部材５２は、ガイドレール部５２Ａの長手方向の途中位置に形成されているとともに、移動操作部５１の後端を係止する段付部５２Ｂを備えたものとなっている。  移動操作部５１は、外部からの操作で消しゴム繰り出しユニット２の先端を先軸部５Ａの先端口５Ｅに向かって移動させるためのものである。
この移動操作部５１の凸部５１Ａは、移動操作部５１の先端に設けられているとともに、移動操作部５１の他の部分よりも細いピン状に形成され、消しゴム繰り出しユニット２と接続可能なものとなっている。
【００２６】
また、移動操作部５１の後端近傍には、軸筒５の径方向外側へ突出するフィン状の指掛け部５１Ｂが設けられている。
【００２７】
ここで、移動操作部５１の後端内側の角隅部分は、ガイド部材５２に設けられた前述の段付部５２Ｂに係止される被係止部５１Ｃとなっている。
さらに、移動操作部５１には、軸筒５の先端側へ移動させられた他の移動操作部５１の被係止部５１Ｃと、これを係止するガイド部材５２の段付部５２Ｂとの係止を解除するために、被係止部５１Ｃから先端側へ所定距離だけ離間した位置において、その表面から軸筒５の径方向内側へ突出する係止解除部５１Ｄが設けられている。
軸筒５の後軸部５Ｂの内部には、当該後軸部５Ｂの内部空間を先端側と後端側とに仕切るとともに、消しゴム繰り出しユニット２や他の筆記体を挿通させるための複数の筆記体挿通孔５３Ａが形成された仕切り部材５３が設けられている。
【００２８】
消しゴム繰り出しユニット２や他の筆記体は、後端部が後軸部５Ｂの後端に形成された窓部５Ｆの近傍に配置されて、移動操作部５１に接続されるとともに、仕切り部材５３の筆記体挿通孔５３Ａを通って、先端側が先軸部５Ａに到達するようになっている。
仕切り部材５３と移動操作部５１との間には、移動操作部５１を後端側へ付勢するために、コイル状に形成されたコイルバネ５４が介装されている。
ここで、移動操作部５１は、使用者によって指掛け部５１Ｂがコイルバネ５４の弾性力に抗して先端側へ移動され、被係止部５１Ｃがガイド部材５２の段付部５２Ｂよりも先端に近い位置に達すると、被係止部５１Ｃが軸筒５の中心軸側へずれて、ガイド部材５２の段付部５２Ｂに係止されるようになっている。
【００２９】
これにより、当該移動操作部５１に接続されている筆記体は、先端が軸筒５の先端口５Ｅから突出した状態が維持され、当該消しゴム繰り出しユニット２や他の筆記体での文字や描線の消去や筆記が行えるようになっている。
一方、消しゴム繰り出しユニット２や他の筆記体の先端が軸筒５の先端口５Ｅから突出した状態で、この筆記体が接続されている移動操作部５１とは別の移動操作部５１を軸筒５の先端側に向かって摺動させると、この別の移動操作部５１の係止解除部５１Ｄが当該移動操作部５１の被係止部５１Ｃを軸筒５の径方向外側へ押し出し、ガイド部材５２の段付部５２Ｂとの係止状態を解除させるようになっている。これにより、当該筆記体は、コイルバネ５４の弾性力で軸筒５の後端側へ後退し、先端が軸筒５の内部に後退して元の位置に復帰するようになっている。
【００３０】
なお、上記の実施形態は一例であり前記のみに限定されるものではなく、例えば複数ではなく単式のホルダーに取り付けるなど消しゴムを先端側に繰り出すことが達成できる範囲における変形及び改良などを含んでもよい。
【産業上の利用可能性】
【００３１】
本発明は、十分に文字を消去することができ、特に複式筆記具や複合筆記具に取り付ける消しゴムとして最適であり、産業上の利用可能性の高い消しゴムである。
【符号の説明】
【００３２】
１  消しゴム
１１  外側の層
１２  内側の層
１３  凹突部
１４  芯部
１５  角部
２  消しゴム繰り出しユニット
３  繰り出し機構
３Ａ  チャック部
３Ｂ  口金部
３Ｃ  コイルバネ
３１    チャック
３１Ａ  頭部
３１Ｂ  首部
３２    締め具
３３    中継筒
３３Ａ  接続部
３３Ｂ  本体部
３４    口金
３５    口金受筒
３６    保持チャック
３７    収納部
３８    ケース筒
４  押し出し棒
５    複式筆記具軸
５Ａ  先軸部
５Ｂ  後軸部
５Ｃ  雄ネジ部
５Ｄ  雌ネジ部
５Ｅ  先端口
５Ｆ  窓部
５１    移動操作部
５１Ａ  凸部
５１Ｂ  指掛け部
５１Ｃ  被係止部
５１Ｄ  係止解除部
５２    ガイド部材
５２Ａ  ガイドレール部
５２Ｂ  段付部
５３    仕切り部材
５３Ａ  筆記体挿通孔
５４    コイルバネ
【図１】
2011173339.tif 000003
【図２】
2011173339.tif 000004
【図３】
2011173339.tif 000005
【図４】
2011173339.tif 000006
【図５】
2011173339.tif 000007